(57)【要約】【課題】過去に放送された番組に関する情報を表示可能なＥＰＧ機能を備えたディジタル放送受信装置において、ＥＰＧの利便性を向上するとともに、ＥＰＧを利用する際の操作性を改善できる技術を提供する。【解決手段】ディジタル放送受信装置において、番組表において過去に放送された番組が選択された場合に、複数の経路（例えば、放送信号やインターネット）から当該番組のコンテンツ情報が取得可能であるかを検索する番組検索手段を備え、この番組検索手段による検索結果を電子番組ガイド上に表示させるようにした。【選択図】図４
2008199345.tif 000002
【特許請求の範囲】
【請求項１】
ディジタル放送信号に含まれる番組情報を取得する番組情報取得手段と、
前記番組情報取得手段によって取得された番組情報を記録可能な記憶手段と、
前記番組情報取得手段によって取得された番組情報または前記記憶手段に記録された番組情報に基づいて、放送局ごとに番組コンテンツに関する情報を時系列に従って並べた番組表を含む電子番組ガイドデータを生成するＥＰＧ生成手段と、
前記番組表において選択された番組のコンテンツ情報を、複数の経路から取得可能な番組コンテンツ取得手段と、
前記ＥＰＧ生成手段により生成される電子番組ガイドの表示制御を行うＥＰＧ表示制御手段と、
前記番組表に表示させる放送日時を指定可能な放送日時指定手段と、を備えたディジタル放送受信装置において、
さらに、インターネットに接続可能な通信手段と、
過去に放送された番組の録画状況を管理する録画状況管理手段と、
前記番組表において過去に放送された番組が選択された場合に、インターネットを介して提供される番組のコンテンツ情報、および、将来放送される予定の番組のコンテンツ情報に基づいて、前記選択された番組のコンテンツ情報が取得可能であるかを検索する番組検索手段と、を備え、
前記番組検索手段は、前記番組表において過去に放送された番組が選択され、前記録画状況管理手段により当該番組は録画されていないと判定された場合に、当該番組の検索を実行し、
前記ＥＰＧ表示制御手段は、前記番組検索手段による検索結果を示す画面を電子番組ガイド上に表示させ、
前記コンテンツ取得手段は、前記番組検索手段による検索結果に基づいて、インターネットを介して提供される番組のコンテンツ情報、または、将来放送される番組のコンテンツ情報を取得可能であることを特徴とするディジタル放送受信装置。
【請求項２】
ディジタル放送信号に含まれる番組情報を取得する番組情報取得手段と、
前記番組情報取得手段によって取得された番組情報を記録可能な記憶手段と、
前記番組情報取得手段によって取得された番組情報または前記記憶手段に記録された番組情報に基づいて、放送局ごとに番組コンテンツに関する情報を時系列に従って並べた番組表を含む電子番組ガイドデータを生成するＥＰＧ生成手段と、
前記番組表において選択された番組のコンテンツ情報を、複数の経路から取得可能な番組コンテンツ取得手段と、
前記ＥＰＧ生成手段により生成される電子番組ガイドの表示制御を行うＥＰＧ表示制御手段と、
前記番組表に表示させる放送日時を指定可能な放送日時指定手段と、を備えたディジタル放送受信装置において、
前記番組表において過去に放送された番組が選択された場合に、前記複数の経路から当該番組のコンテンツ情報が取得可能であるかを検索する番組検索手段を備え、
前記ＥＰＧ表示制御手段は、前記番組表において過去に放送された番組が選択された場合に、前記番組検索手段による検索結果を前記電子番組ガイド上に表示させることを特徴とすることを特徴とするディジタル放送受信装置。
【請求項３】
過去に放送された番組の録画状況を管理する録画状況管理手段を有し、
前記番組検索手段は、前記番組表において選択された過去の番組が、前記録画状況管理手段により録画がなされていないと判定された場合に、当該番組の検索を実行することを特徴とする請求項２に記載のディジタル放送受信装置。
【請求項４】
インターネットに接続可能な通信手段を備え、
前記番組検索手段は、インターネットを介して提供される番組のコンテンツ情報を検索可能で、
前記コンテンツ取得手段は、前記番組検索手段による検索結果に基づいて、インターネット経由で番組のコンテンツ情報を取得可能であることを特徴とする請求項２または３に記載のディジタル放送受信装置。
【請求項５】
前記番組検索手段は、予め設定された接続先情報に基づいて、番組のコンテンツ情報を検索することを特徴とする請求項４に記載のディジタル放送受信装置。
【請求項６】
前記番組検索手段は、将来放送される予定の番組のコンテンツ情報を検索可能で、
前記コンテンツ取得手段は、前記番組検索手段による検索結果に基づいて、将来放送される番組のコンテンツ情報を取得可能であることを特徴とする請求項２から５のいずれか一項に記載のディジタル放送受信装置。
【請求項７】
前記番組検索手段によって、インターネットを介して提供される番組のコンテンツ情報と、将来放送される番組のコンテンツ情報の両方が検索された場合に、
前記ＥＰＧ表示制御手段は、インターネットを介して提供される番組の検索結果を優先してＥＰＧ上に表示させることを特徴とする請求項２から６のいずれか一項に記載のディジタル放送受信装置。
【発明の詳細な説明】
【技術分野】
【０００１】
本発明は、ディジタル放送信号を受信可能で、放送信号に含まれる番組情報に基づいて電子番組ガイドを提示可能なディジタル放送受信装置に関し、特に、電子番組ガイドの利便性を改善したディジタル放送受信装置に関する。
【背景技術】
【０００２】
近年、ディジタル技術の発達によりテレビジョン放送の分野でもディジタル化が急速に進み、例えば、ＣＳディジタル放送、ＢＳディジタル放送、地上ディジタル放送が実用化されている。このディジタル放送では、アナログ放送よりも簡単かつ効率的にデータを圧縮できることから、多チャンネル化（例えば、ＣＳディジタル放送では２００チャンネル以上）、高品質化（ハイビジョン放送）、高機能化（データ放送（双方向通信サービス））の実現が期待される。
【０００３】
また、テレビジョン放送受像機やセット・トップ・ボックス（ＳＴＢ）、大容量ＨＤＤレコーダ等の最近の放送受信装置は、ＥＰＧ（Electronic Program Guide）と呼ばれる電子番組ガイド機能を具備している。このＥＰＧは、ディジタル／アナログ放送信号に含まれる番組情報に基づいて生成され、例えば、番組タイトルや簡単な番組内容等の番組に関する情報を番組表として視聴者に提示するものである。ここで、ディジタル／アナログ放送信号に含まれる番組情報としては、例えば、番組タイトル、放送日時、チャンネル、出演者、ジャンル等がある。特に、ディジタル放送では、ディジタル放送信号に乗せて常に番組情報を送信できるため、正確かつ詳細な番組情報をリアルタイムで提供することができる。
【０００４】
利用者は、このＥＰＧを利用することで、その時刻に放送されている番組を選択（選局）して視聴したり、放送予定の番組については簡単に視聴予約や録画予約をしたりすることができる。さらに、ＥＰＧを利用して、「ニュース」「スポーツ」「映画」などのジャンル別の番組検索や、出演者等のキーワードによる番組検索が可能となっている。
【０００５】
しかしながら、従来のディジタル放送受信装置が具備するＥＰＧ機能には根本的な問題があった。すなわち、新聞や雑誌のラジオ・テレビ欄（いわゆるラテ欄）による番組の情報提供には限界があるため、多チャンネル化に伴いラテ欄に代わってＥＰＧが普及してきたにも関わらず、ラテ欄と同様に扱うことができないという点である。
【０００６】
具体的には、放送局側は、放送前の番組について事前情報を公開することを主目的とするため、例えば、現在から１週間先までの合計８日間分の番組について番組情報を提供する。そして、従来のディジタル放送受信装置においては、放送局から提供される番組情報が更新されると放送終了分の番組情報は削除されることとなるので、過去に放送された番組の情報がＥＰＧに表示されることはない。
【０００７】
そのため、ＥＰＧを利用して、例えば、１週間前の番組等、過去に放送された番組に関する情報を取得することはできなかった。また、視聴し忘れた番組の検索や、再放送番組の視聴／録画予約に過去のＥＰＧを活用することもできなかった。
【０００８】
そこで、過去に放送された番組の情報を閲覧できるようにしたＥＰＧに関する技術が提案されている（例えば、特許文献１，２）。また、特許文献１には、利用者がＥＰＧにおいて過去の番組を選択したときには、録画装置に録画されていないか検索し、録画されていないときには再放送予定を検索し、さらに再放送予定がないときには通信回線経由で放送局等に配信、あるいはＤＶＤの配達を依頼することが記載されている。
【０００９】
また、特許文献３には、１の放送受信機（利用者Ａ）で録画した番組を、インターネットを介して他の放送受信機（利用者Ｂ）でダウンロード可能とするための番組配信システムが開示されている。このように、近年では、放送受信装置において、番組を放送信号だけでなく、インターネットを介して取得できるようになっている。
【特許文献１】特開２００２−３３５４６３号公報
【特許文献２】特開２００３−１９９００９号公報
【特許文献３】特開２００４−２６０６３８号公報
【発明の開示】
【発明が解決しようとする課題】
【００１０】
上述したように、近年では、放送信号からだけでなく、インターネットを介して番組のコンテンツ情報（映像データ、音声データ）を取得できる放送受信装置が提案されている。また、光通信を利用した高速インターネットを享受できる環境が整備されつつあり、今後、インターネットを利用した番組配信はさらに増加するものと予想される。そして、このような環境下で使用されるディジタル放送受信装置においては、ＥＰＧのさらなる改善が望まれる。
【００１１】
例えば、上記特許文献１では、過去に放送された番組の再放送がない場合に、インターネットを利用して番組を取得するようにしているが、インターネット環境が整備されつつある昨今では、再放送を待つよりもインターネットを介してコンテンツ情報を取得するほうが利便性に優れていると考えられる。つまり、再放送は放送日がくるまで日数がかかるのに対して、インターネットによる番組配信は所望するとき即時に取得できる可能性が高いためである。
【００１２】
また、上記特許文献１に記載の技術は、過去に放送された番組のコンテンツ情報を取得する際に、利用者に取得経路（例えば、放送信号やインターネット）を指定させるため、取得経路を問わない利用者にとっては操作性が煩わしく不満に感じる虞がある。
【００１３】
本発明は、過去に放送された番組に関する情報を表示可能なＥＰＧ機能を備えたディジタル放送受信装置において、ＥＰＧの利便性を向上するとともに、ＥＰＧを利用する際の操作性を改善できる技術を提供することを目的とする。
【課題を解決するための手段】
【００１４】
本発明は、上記目的を達成するため、ディジタル放送信号に含まれる番組情報を取得する番組情報取得手段と、前記番組情報取得手段によって取得された番組情報を記録可能な記憶手段と、前記番組情報取得手段によって取得された番組情報または前記記憶手段に記録された番組情報に基づいて、放送局ごとに番組コンテンツに関する情報を時系列に従って並べた番組表を含む電子番組ガイドデータを生成するＥＰＧ生成手段と、前記番組表において選択された番組のコンテンツ情報を、複数の経路から取得可能（視聴予約／録画予約を含む）な番組コンテンツ取得手段と、前記ＥＰＧ生成手段により生成される電子番組ガイドの表示制御を行うＥＰＧ表示制御手段と、前記番組表に表示させる放送日時を指定可能な放送日時指定手段と、を備えたディジタル放送受信装置において、前記番組表において過去に放送された番組が選択された場合に、前記複数の経路から当該番組のコンテンツ情報が取得可能であるかを検索する番組検索手段を備え、前記ＥＰＧ表示制御手段は、前記番組表において過去に放送された番組が選択された場合に、前記番組検索手段による検索結果を前記電子番組ガイド上に表示させることを特徴とする。
【００１５】
ここで、「コンテンツ情報を取得可能」とは、例えば、番組提供者（放送局等）のサーバにコンテンツ情報がダウンロード可能な状態で格納されている状態や、再放送（他局で放送される時差放送を含む）が予定されている状態等をいう。
【００１６】
また、過去に放送された番組の録画状況（外部機器への録画を含む）を管理する録画状況管理手段を有し、前記番組検索手段は、前記番組表において選択された過去の番組が、前記録画状況管理手段により録画がなされていないと判定された場合に、当該番組の検索を実行することを特徴とする。なお、録画状況管理手段により録画されていると判定された場合は、ＥＰＧ表示制御手段によって当該番組を再生させるための画面を表示させるのが望ましい。これにより、利用者は番組表において選択した番組の録画状況に応じた操作が可能となるため、ＥＰＧの利便性が向上する。
【００１７】
さらに、インターネットに接続可能な通信手段を備え、前記番組検索手段は、インターネットを介して提供される番組のコンテンツ情報を検索可能で、前記コンテンツ取得手段は、前記番組検索手段による検索結果に基づいて、インターネット経由で番組のコンテンツ情報を取得可能であることを特徴とする。これにより、番組表において選択された番組のコンテンツ情報がインターネット経由で取得可能か否かを認識できる上、取得したい場合は即時にダウンロードしてコンテンツ情報を取得することができる。
【００１８】
また、前記番組検索手段は、予め設定された接続先情報に基づいて、番組のコンテンツ情報を検索することを特徴とする。例えば、番組提供者のＵＲＬを予め設定しておく。これにより、インターネット経由の番組検索を効率よく実行でき、番組の検索結果を比較的短時間で表示させることができるので、番組検索に時間がかかることに対して利用者が不満を感じるのを防止できる。
【００１９】
また、前記番組検索手段は、将来放送される予定の番組のコンテンツ情報を検索可能で、前記コンテンツ取得手段は、前記番組検索手段による検索結果に基づいて、将来放送される番組（つまりは再放送番組）のコンテンツ情報を取得（視聴／録画予約）可能であることを特徴とする。このとき、番組を提供する放送局が異なる場合であっても同一番組を識別可能とするのが望ましい。つまり、同一系列の異なる放送局からは、放送日時を異にしてしばしば同一の番組が放送されるために、異なる放送局をまたいで当該番組の放送の有無を検索することで、当該番組が取得可能な状態にあるか否かを効果的に検索できる。これにより、インターネット上で番組のコンテンツ情報が提供されていない場合でも、再放送が予定されている場合は放送信号からこの番組のコンテンツ情報を取得することが可能となる。
【００２０】
さらに、前記番組検索手段によって、インターネットを介して提供される番組のコンテンツ情報と、将来放送される番組のコンテンツ情報の両方が検索された場合に、前記ＥＰＧ表示制御手段は、インターネットを介して提供される番組の検索結果を優先してＥＰＧに表示させることを特徴とする。つまり、インターネット経由で番組のコンテンツ情報を取得可能な場合は、利用者は即時にダウンロードして視聴することができるのに対して、再放送が予定されている場合は、その再放送の放送日まで利用者は番組を視聴することはできないので、利用者がすぐに視聴可能となるインターネット経由での検索結果を表示させ、利用者の視聴要求に効率的に対応できるようにしている。
【発明の効果】
【００２１】
本発明によれば、ディジタル放送受信装置において、過去に放送された番組の情報をＥＰＧに表示させることができ、新聞や雑誌のラテ欄と同様な扱いが可能となる上、番組表において過去に放送された番組が選択された場合に、複数の経路（例えば、放送信号やインターネット）から当該番組のコンテンツ情報が取得可能であるかを検索する番組検索手段を備え、この番組検索手段による検索結果を電子番組ガイド上に表示させるようにしたので、利用者は番組のコンテンツ情報の取得経路を気にすることなく、当該番組が視聴可能か否かを認識することができ、電子番組ガイドの利便性を向上できる。
【発明を実施するための最良の形態】
【００２２】
以下、本発明の実施の形態を図面に基づいて説明する。
図１は、本発明に係るディジタル放送受信装置としてのＨＤＤレコーダ１０の全体構成を示すブロック図である。なお、図１において、実線の矢印は各種情報の流れを示し、点線の矢印は制御信号の流れを示している。
【００２３】
本実施形態のＨＤＤレコーダ１０は、アンテナ１１と、受信部（チューナ）１２と、信号復調部１３と、データ分離部１４と、デコード部１５と、ＥＰＧ生成部１６と、多重化部（ＯＳＤ部）１７と、番組情報記憶部（例えば、フラッシュメモリ）１８と、番組コンテンツ記憶部（例えば、ハードディスク）１９と、入力部２０と、通信部２１と、制御部２２と、を備えて構成される。
【００２４】
具体的には、受信部１２は、アンテナ１１を介してディジタル放送信号（例えば、地上ディジタル放送、ＢＳディジタル放送、ＣＳディジタル放送）を選択的に受信可能なチューナである。なお、ディジタル放送信号には、例えば、地上波に合わせる形で現在より以降の８日分の番組情報が含まれるものとするが、８日分を超える番組情報が含まれる場合（例えば、ＢＳディジタル放送）にも適用できる。信号復調部１３は、受信部１２で受信した放送信号を復調する。
【００２５】
データ分離部１３は、信号復調部１３で復調された放送信号を、番組のコンテンツ情報（映像データおよび音声データ）と番組情報とに分離する。分離されたコンテンツ情報はデコード部１５に供給されるとともに、録画予約されていた場合には番組コンテンツ記憶部１９に記録される。一方、分離された番組情報はＥＰＧ生成部１６に供給されるとともに、番組情報記憶部１８に記録される。
【００２６】
上記受信部１２、信号復調部１３、およびデータ分離部１４等で、ディジタル放送信号に含まれる番組情報を取得する番組情報取得手段、およびディジタル放送信号に含まれるコンテンツ情報を取得するコンテンツ取得手段が構成される。
【００２７】
また、デコード部１５は、データ分離部１４又は番組コンテンツ記憶部１９から供給されたコンテンツ情報を複合化して映像信号および音声信号を生成する。
【００２８】
ＥＰＧ生成部１６は、データ分離部１４および番組情報記憶部１８から供給された番組情報に基づいて、放送局ごとに番組コンテンツに関する情報を時系列に従って並べた電子番組ガイド（以下、ＥＰＧと称する）を生成する（ＥＰＧ生成手段）。また、後述する入力部２０によって表示させるＥＰＧの日時が指定された場合には、指定された放送日時に対応する番組情報に基づいてＥＰＧを生成することができる。
【００２９】
多重化部１７は、デコード部１５やＥＰＧ生成部１６からの表示信号を選択的に出力したり、多重化して出力したりする。
【００３０】
番組情報記憶部１８には、データ分離部１４で分離された番組情報または後述する通信部２１でインターネットからダウンロードした番組情報が記録される（記憶手段）。例えば、番組情報として、番組名、番組内容、番組ＩＤ（イベントＩＤ）、開始時刻、継続時間、ジャンル区分などの情報が、放送局（チャンネルＮｏ．）ごとに日単位で格納される。
【００３１】
なお、ディジタル放送信号から番組情報が取得されたときに、番組情報記憶部１８において、取得日時＋以降の７日分の番組情報は更新されるが、取得日時以前の番組情報は最新のものが保持されることとなる。
【００３２】
番組コンテンツ記憶部１９には、録画された番組のコンテンツ情報や通信部２１でダウンロードしたコンテンツ情報が記録されており、記録されたコンテンツ情報は再生時に読み出されてデコード部１５に供給される。なお、録画機能を具備しないテレビジョン受像機やＳＴＢでは、番組コンテンツ記憶部１９は省略される。
【００３３】
入力部２０は、例えば、複数の操作ボタンを備えたリモコン装置や本体に設けられた操作パネルであり、この入力部２０からの入力信号に基づいて、チャンネル変更や音量調整、ＥＰＧにおけるカーソルの移動や視聴／録画予約などの所定の処理が実行される。例えば、入力部２０としてのリモコン装置は、電源をオン／オフする電源ボタン、受信するチャンネルを選択する数字ボタン、ＥＰＧを表示させるＥＰＧ表示ボタン、ＥＰＧ等で１つ前の画面に戻すボタン、音量を調整する音量ボタン、受信する放送信号の種別（地上波／ＢＳ／ＣＳ等）を選択するボタン、放送サービス（テレビ放送、ラジオ放送、データ放送）を切り替えたり文字入力に用いたりするボタン、画面上で指示が出たときに用いるカラーボタン、データ放送等に用いるボタン、ＥＰＧ等でフォーカスを上下左右に移動させる方向ボタン、選択した項目で決定する決定ボタン、チャンネル選択に用いるチャンネルボタン、番組コンテンツの録画再生時に用いるボタン、ＥＰＧに表示させる放送日を簡単に指定可能な放送日指定ボタン、などを備える。なお、その他、音声切り替えボタンや字幕のオン／オフ切り替えボタン等の所定の機能を実行させるための操作ボタンを設けるようにしてもよい。
【００３４】
上述したリモコン装置において、ＥＰＧが表示された状態で放送日指定ボタンを操作することにより、ＥＰＧに表示させる日時を指定することができる（放送日時指定手段）。  このように、本実施形態では、放送日指定ボタンにより、所定期間過去または未来の放送日を単一操作で指定できるようにしている。本実施形態のＨＤＤレコーダ１０は、過去に放送された番組の情報もＥＰＧに表示させることができるため、ＥＰＧにおいて表示可能となる日数が増え検索対象となる番組の情報量が増加するが、放送日指定ボタンを利用することにより、例えば、毎週放送される番組に関する情報を効率よく取得することができる。
【００３５】
通信部２１は、光回線や電話回線を通じてインターネットに接続可能とされ、インターネット上で提供されている番組情報や番組のコンテンツ情報をダウンロードできるように構成される。つまり、本発明に係るコンテンツ取得手段は、通信部２１を含んで構成され、ディジタル放送信号とインターネットという複数の経路から番組のコンテンツ情報を取得可能とされる。なお、通信部２１は、コンテンツ情報の様々な提供形態に対応できるのが望ましく、例えば、ストリーミング配信に対応可能とする。
【００３６】
制御部２２は、例えば、入力部２０からの入力信号に基づいて、図示しないＲＯＭに格納されている制御プログラム等を実行し、ＨＤＤレコーダ１０の各ブロックを駆動制御する。具体的には、録画時にコンテンツ情報を番組コンテンツ記憶部１９に書き込んだり、視聴／再生時に放送信号又は番組コンテンツ記憶部１９からのコンテンツ情報に基づく映像・音声信号を出力させたりする。
【００３７】
また、制御部２２は、ＥＰＧ生成部１６により生成されるＥＰＧの表示制御を行う（ＥＰＧ表示制御手段）。例えば、利用者によりＥＰＧを表示させる操作（リモコン装置２０のＥＰＧボタンの入力操作）が行われると、ＥＰＧ生成部１６に所定のフォーマットのＥＰＧデータを生成させる。
【００３８】
また、制御部２２は、ＥＰＧ上の番組表において過去の番組が選択された場合に、放送信号に含まれる番組情報を解析したり、インターネット上で提供されているコンテンツ情報を検索したりして、前記選択された番組のコンテンツ情報が取得可能であるかを検索する（番組検索手段）。例えば、放送信号に含まれる将来の番組情報に基づいて、番組表において選択された番組と同一番組が放送予定である（つまり当該番組の再放送がある）場合や、インターネット上のあるサイトにおいて当該番組のコンテンツ情報が視聴（ストリーミング、ダウンロード）可能な状態配信されている場合に、コンテンツ情報は取得可能であることとなる。なお、インターネット上で検索するサイトの接続情報は予め設定しておくのが望ましく、これにより番組検索の処理時間を短縮することができる。
【００３９】
さらに、制御部２２は、過去に放送された番組が録画されたか否かを示す録画状況を管理する録画状況管理手段として機能する。例えば、制御部２２は、番組コンテンツ記憶部１９に記録されているコンテンツ情報に基づいて、録画状況を管理することができる。望ましくは、当該ディジタル放送受信装置で受信したコンテンツ情報を、外部接続された録画装置において録画した場合も管理できるようにする。
【００４０】
図２は、本実施形態のＨＤＤレコーダ１０において表示されるＥＰＧの一例であり、１０月２０日の１０：００〜１７：００の時間帯の番組表が表示されている。このＥＰＧは、例えば、リモコン装置２０のＥＰＧ表示ボタンが操作されることに伴い、ＥＰＧ生成部１６でデータが生成され表示される。また、ＥＰＧにおけるフォーカス移動等の表示制御は、ＥＰＧ表示制御手段としての制御部２２によって行われる。
【００４１】
図２に示すＥＰＧは、Ｄ１〜Ｄ４の４つの表示領域で構成される。具体的には、Ｄ１領域には、放送局ごとに番組コンテンツに関する情報が時系列に従って横並びに配置された番組表が表示される。なお、図２では、太枠・斜線による強調表示で、ＫＨＮ１放送の「ニュース１０」にフォーカスが合わされている場合を示している。
【００４２】
リモコン装置２０の方向ボタンを操作して番組表上のフォーカスを移動させ、所望の番組にフォーカスがあった状態で決定ボタンを操作することで、簡単に番組の録画／視聴予約をすることができる。なお、Ｄ１領域の番組表に表示される内容は、リモコン装置２０の方向ボタン等の操作に応じてスクロール表示可能とされる。
【００４３】
Ｄ２領域には、放送日によって１５分割された放送日枠が表示される。この放送日枠の各分割領域には、例えば、現在を中心に過去７日間、未来７日間の計１５日間の放送日が割り当てられる。なお、図２では、太枠・斜線による強調表示で、「当日」にフォーカスが合わされている場合を示している。
【００４４】
リモコン装置２０の放送日指定ボタンを操作して放送日枠上のフォーカスを移動させることで、選択された放送日の番組表をＤ１領域に表示させることができる。なお、表示される番組表の時間帯については特に制限されないが、例えば、現在表示されている時間帯に合わせて表示すればよい。
【００４５】
このように、ＥＰＧ上の放送日枠とリモコン装置２０の放送日指定ボタンを組み合わせて利用することで、１週間前／１週間後の番組表を表示させたり、１週間後の番組の視聴／録画予約を行ったりすることが簡単になる。
【００４６】
Ｄ３領域には、Ｄ１領域においてフォーカスされている番組の詳細内容が表示される。例えば、図２ではＤ１領域において「ニュース１０」がフォーカスされているので、その番組名、出演者、番組内容等がＤ３領域に表示される。その他に、番組開始時刻、放送時間、ジャンル等を表示するようにしてもよい。
【００４７】
Ｄ４領域には、表示されているＥＰＧにおいて使用可能な操作ボタンが表示される。つまり、図２に示すＥＰＧでは、リモコン装置２０の放送日指定ボタン（当日ボタン、前日ボタン、翌日ボタン、１週間前ボタン、１週間後ボタン）、方向ボタン、決定ボタン、戻るボタン、終了ボタン（ＥＰＧ表示ボタン）が使用可能であることを示している。
【００４８】
図３は、本実施形態のＨＤＤレコーダ１０において表示されるＥＰＧの他の一例であり、１０月１９日の１０：００〜１７：００の時間帯の番組表、すなわち過去の放送日の番組表が表示されている場合を示している。例えば、図２に示すようにＤ１領域において現時刻の番組表が表示されている状態で放送日指定ボタンの一つである前日ボタンが操作されると、Ｄ２領域のフォーカスは「１０／１９」の分割領域に移動され、図３に示すＥＰＧが表示される。
【００４９】
なお、図３では、Ｄ１領域においてＡ放送局の「趣味と教養」にフォーカスが合わされており、Ｄ２領域において「１０／１９」にフォーカスが合わされている場合を示している。また、Ｄ３領域には、Ｄ１領域においてフォーカスされている番組の詳細内容が表示される。
【００５０】
図２，３に示すように、本実施形態に係るＨＤＤレコーダ１０では、指定された放送日に対応する番組情報に基づいてＥＰＧを生成・表示可能で、過去に放送された番組の情報もＥＰＧに表示させることができるので、新聞や雑誌のラテ欄と同様な扱いが可能となる。
【００５１】
さらに、ＥＰＧ上の番組表において、現時刻以降の番組表（例えば、図２の番組表）において番組が選択された場合と、過去の番組表（例えば、図３の番組表）において番組が選択された場合で、それぞれ適切なＥＰＧ表示を行うことで、ＥＰＧの利便性を改善している。ＥＰＧ上の番組表において選択された番組に応じたＥＰＧ表示制御処理について、以下に詳細に説明する。
【００５２】
図４は、ＥＰＧ表示制御手段としての制御部２２により実行されるＥＰＧ表示制御処理について示したフローチャートである。
【００５３】
まず、制御部２２は、例えば、リモコン装置２０のＥＰＧ表示ボタンが操作されることに伴い、ＥＰＧ生成部１６でＥＰＧデータを生成させ、所定のＥＰＧを表示させる（ステップＳ１０１）。また、ＥＰＧが表示された状態において、リモコン装置２０の方向ボタンが操作されることに伴いフォーカス移動等の表示制御を行う。
【００５４】
次いで、ＥＰＧ上に表示されている番組表（Ｄ１領域）において、特定の番組がフォーカスされた状態でリモコン装置２０の決定ボタンが操作されたかに基づいて、番組が選択されたか判定する（ステップＳ１０２）。
【００５５】
そして、ステップＳ１０２で、番組表において特定の番組が選択されたと判定された場合は、続いて、選択された番組が過去に放送された番組か、現時刻以降に放送される番組か判定する（ステップＳ１０３）。例えば、図２に示すＥＰＧ上の番組表において番組が選択された場合は現時刻以降に放送される番組となり、図３に示すＥＰＧ上の番組表において番組が選択された場合は過去に放送された番組となる。
【００５６】
ステップＳ１０３で、選択された番組は現時刻以降に放送される番組であると判定された場合は、当該番組の詳細内容を表示するとともに、視聴予約／録画予約を実行させるための予約指示画面を表示する（ステップＳ１０４）。
【００５７】
一方、ステップＳ１０３で、選択された番組は過去に放送された番組であると判定された場合は、録画状況管理手段による管理されている録画状況に基づいて、当該番組は録画された番組であるか判定する。ここでは、番組コンテンツ記憶部１９に番組のコンテンツ情報が記録されている場合、すなわち当該番組が再生可能な場合に、その番組が録画された番組であると判定する。つまり、録画処理がなされ番組コンテンツ記憶部１９に一時記録されたが、その後削除され、現時点で再生不可能となっている番組については録画されていないものとして判定する。
【００５８】
次いで、ステップＳ１０５で、録画された番組であると判定された場合は、当該番組の詳細内容を表示するとともに、再生を実行させるための予約指示画面を表示する（ステップＳ１１２）。具体的には、図５に示す予約指示画面を表示する。
【００５９】
図５は、ＥＰＧ上の番組表において過去に放送された番組が選択されたときに表示される画面の一例であり、例えば、図３に示すＥＰＧにおいて「趣味と教養」がフォーカスされている状態で決定ボタンが操作されたときに表示される。
【００６０】
つまり、図３に示すメインＥＰＧに、再生指示画面としてサブ画面ＳＤ１が重ねて表示される。また、番組内容の表示枠の上方には、番組コンテンツ記憶部１９に記録されている番組のリスト（録画リスト一覧）を表示させるボタンＢ１、現在表示されている番組（図５では「趣味と教養」）を再生させるためのボタンＢ２、サブ画面ＳＤ１を消去して元のＥＰＧに戻るボタンＢ３が配置される。なお、図５では、戻るボタンＢ３にフォーカスが合っている状態を示している。
【００６１】
図５に示すサブ画面ＳＤ１において、何れかのボタンＢ１〜Ｂ３にフォーカスを合わせて、リモコン装置２０の決定ボタンを操作することで所定の動作を実行させることができる。
【００６２】
図４のフローチャートに戻り、ステップＳ１０５で、録画された番組でないと判定された場合は、当該番組のコンテンツ情報が取得可能であるかを検索する（番組検索手段）。具体的には、番組検索手段としての制御部２２は、インターネットを介して提供される番組のコンテンツ情報を検索するとともに、ディジタル放送信号から分離された番組情報に基づいて当該番組の再放送があるか否かを検索する。
【００６３】
なお、インターネット経路で提供されるコンテンツ情報を検索する場合は、予め接続情報（ＵＲＬ）を設定されたサイトのみを検索するものとする。これにより、インターネット経由の番組検索を効率よく実行でき、番組の検索結果を比較的短時間で表示させることができる。
【００６４】
次いで、ステップＳ１０７で何れかの経路から当該番組のコンテンツ情報を取得可能であるか判定する。そして、当該番組のコンテンツ情報を取得可能である場合はステップＳ１０８に移行し、当該番組のコンテンツ情報を取得不可能である場合はステップＳ１１１に移行し、その旨を表示する（取得不能表示）。例えば、図３に示すメインＥＰＧに、当該番組のコンテンツ情報は現時点で取得可能な状態にないことを示すサブ画面を重ねて表示する。
【００６５】
一方、ステップＳ１０８では、インターネット経由でコンテンツ情報を取得可能であるか判定する。そして、インターネット経由で当該番組のコンテンツ情報を取得可能である場合は、インターネット経由の検索結果を表示する（ステップＳ１１０）。具体的には、図６に示すインターネット経由の検索結果を表示する。
【００６６】
図６は、ＥＰＧ上の番組表において過去に放送された番組が選択されたときに表示される画面の一例であり、例えば、図３に示すＥＰＧにおいて「趣味と教養」がフォーカスされている状態で決定ボタンが操作されたときに表示される。
【００６７】
つまり、図３に示すメインＥＰＧに、インターネット経由の検索結果としてサブ画面ＳＤ２が重ねて表示される。また、番組内容の表示枠の上方には、当該番組を視聴するためのボタンＢ４、録画するためのボタンＢ５、再放送の検索結果を表示させるためのボタンＢ６、サブ画面ＳＤ２を消去して元のＥＰＧに戻るボタンＢ３が配置される。なお、図６では、戻るボタンＢ３にフォーカスが合っている状態を示している。
【００６８】
図６に示すサブ画面ＳＤ２において、何れかのボタンＢ３〜Ｂ６にフォーカスを合わせて、リモコン装置２０の決定ボタンを操作することで所定の動作を実行させることができる。なお、本実施形態では、視聴ボタンＢ４が操作されるとストリーミング配信が開始され、録画ボタンＢ５が操作されるとコンテンツ情報のダウンロードが開始されるものとする。
【００６９】
また、各ボタンＢ４〜Ｂ６は、例えば、ストリーミング配信で提供されているがダウンロードは不可とされている場合、逆にダウンロード可能であるがストリーミング配信による提供はなされていない場合、再放送による提供がない場合等、対応する処理が実行できない場合は透明枠・透明文字で表示され不能状態とされる。
【００７０】
図６に示すＥＰＧ画面によれば、ＥＰＧ上の番組表において選択された番組のコンテンツ情報がインターネット経由で取得可能か否かを認識できる上、取得したい場合は即時にダウンロードすることができる。
【００７１】
図４のフローチャートに戻り、ステップＳ１０８で、インターネット経由で当該番組のコンテンツ情報を取得可能でないと判定した場合は、再放送の検索結果を表示する（ステップＳ１０９）。具体的には、図７に示す再放送の検索結果を表示する。
【００７２】
図７は、ＥＰＧ上の番組表において過去に放送された番組が選択されたときに表示される画面の一例であり、例えば、図３に示すＥＰＧにおいて「趣味と教養」がフォーカスされている状態で決定ボタンが操作されたときに表示される。
【００７３】
つまり、図３に示すメインＥＰＧに、再放送の検索結果としてサブ画面ＳＤ３が重ねて表示される。また、番組内容の表示枠の上方には、当該番組を視聴（予約）するためのボタンＢ７、録画（予約）するためのボタンＢ８、インターネット経由の検索結果を表示させるためのボタンＢ９、サブ画面ＳＤ３を消去して元のＥＰＧに戻るボタンＢ３が配置される。なお、図７では、戻るボタンＢ３にフォーカスが合っている状態を示している。
【００７４】
図７に示すサブ画面ＳＤ３において、何れかのボタンＢ３，Ｂ７〜Ｂ９にフォーカスを合わせて、リモコン装置２０の決定ボタンを操作することで所定の動作を実行させることができる。
【００７５】
図７に示すＥＰＧ画面によれば、ＥＰＧ上の番組表において選択された番組のコンテンツ情報がインターネット経由で取得不能である場合であっても、再包装により提供される場合は視聴予約／録画予約を行うことにより、その放送日にコンテンツ情報を取得することができる。
【００７６】
このように、本実施形態に係るＨＤＤレコーダ１０によれば、過去に放送された番組の情報をＥＰＧに表示させることができ、新聞や雑誌のラテ欄と同様な扱いが可能となる上、番組表において過去に放送された番組が選択された場合に、複数の経路（例えば、放送信号やインターネット）から当該番組のコンテンツ情報が取得可能であるかを検索し、検索結果を電子番組ガイド上に表示させるようにしたので、利用者は番組のコンテンツ情報の取得経路を気にすることなく、当該番組が視聴可能か否かを認識することができ、電子番組ガイドの利便性を向上できる。
【００７７】
また、ＥＰＧ上の番組表において選択された番組の録画状況に応じて、録画されている場合には再生操作が可能となり、録画されていない場合には検索結果が表示されて視聴（ストリーミング配信）／録画（ダウンロード）又は視聴予約／録画予約が可能となるため、ＥＰＧの利便性を向上できる。
【００７８】
さらに、インターネット経由での検索結果を再放送の検索結果に優先してＥＰＧ上に表示するようにしたので、利用者の視聴要求に効率的に対応できる。つまり、利用者がＥＰＧ上の番組表において過去の番組を選択した場合は、利用者は当該番組を視聴したいものと予想できるので、いち早くコンテンツ情報を取得可能なインターネット経由での検索結果を優先してＥＰＧ上に表示するようにした。
【００７９】
以上、本発明者によってなされた発明を実施形態に基づいて具体的に説明したが、本発明は上記実施形態に限定されるものではなく、その要旨を逸脱しない範囲で変更可能である。
【００８０】
上記実施形態では、インターネット経路での番組検索と、ディジタル放送信号からの番組情報に基づく番組検索を同時に実行する（図４のステップＳ１０６）ようにしているが、インターネット経路での番組検索を実行し、インターネット経由で番組のコンテンツ情報を取得できないばあいだけ、再放送の番組検索を行うようにしてもよい。
【００８１】
また、インターネット経由での検索結果を優先してＥＰＧ上に表示するようにしたが、例えば、利用者に番組検索させる経路を指定させるようにしてもよい。この場合、例えば、図８に示すようなＥＰＧ表示がなされることとなる。なお、利用者に番組検索する経路を指定させてから番組検索処理を実行してもよいし、番組検索処理を実行した後で図８のＥＰＧ表示を行い、利用者によって指定された経路の検索結果を表示させるようにしてもよい。
【００８２】
また、上記実施形態では、本発明をＨＤＤレコーダに適用した例について説明したが、ディジタル放送信号を受信可能で、この放送信号に含まれる番組情報に基づいて電子番組ガイドを提示可能なディジタル放送受信装置全般に適用することができる。例えば、例えば、ディジタルテレビジョン放送受像機やセット・トップ・ボックスなどの各種ＡＶ（オーディオビジュアル）装置に適用することができる。
【図面の簡単な説明】
【００８３】
【図１】本発明に係るディジタル放送受信装置としてのＨＤＤレコーダ１０の全体構成を示すブロック図である。
【図２】本実施形態のＨＤＤレコーダ１０において表示される電子番組ガイド（現時刻以降）の一例である。
【図３】本実施形態のＨＤＤレコーダ１０において表示される電子番組ガイド（過去）の他の一例である。
【図４】ＥＰＧ表示制御処理を示すフローチャートである。
【図５】ＥＰＧ上の番組表において過去に放送された番組が選択され、当該番組が録画されていないときに表示される画面の一例である。
【図６】ＥＰＧ上の番組表において過去に放送された番組が選択され、当該番組がインターネット経由で取得可能なときに表示される画面の一例である。
【図７】ＥＰＧ上の番組表において過去に放送された番組が選択され、当該番組が再放送で取得可能なときに表示される画面の一例である。
【図８】ＥＰＧ上の番組表において過去に放送された番組が選択されたときに表示される画面の他の一例である。
【符号の説明】
【００８４】
１０  ＨＤＤレコーダ（ディジタル放送受信装置）
１１  アンテナ
１２  受信部（チューナ）
１３  信号復調部
１４  データ分離部
１５  デコード部
１６  ＥＰＧ生成部
１７  多重化部（ＯＳＤ部）
１８  番組情報記憶部
１９  番組コンテンツ記憶部
２０  入力部（リモコン装置）
２１  通信部
２２  制御部（ＥＰＧ表示制御手段，番組検索手段，コンテンツ取得手段）
【図１】
2008199345.tif 000003
【図２】
2008199345.tif 000004
【図３】
2008199345.tif 000005
【図４】
2008199345.tif 000006
【図５】
2008199345.tif 000007
【図６】
2008199345.tif 000008
【図７】
2008199345.tif 000009
【図８】
2008199345.tif 000010